(57)【要約】【課題】瞬時停電発生時、通常の起動時と瞬時停電発生時の再起動で起動シーケンスを共通のものとし、システム設計を容易にする。【解決手段】本実施形態の制御装置は、電源装置と、電源装置の出力電圧に基づき、動作用電圧を生成する１又は複数の２次電源部と、電源装置及び／又は２次電源部が出力する動作用電圧を受け動作する１又は複数の演算部と、２次電源部及び演算部と、電源装置との間に接続され、電源装置の出力電圧を監視する監視部と、を備え、監視部は、電源装置の出力電圧が予め定められた閾値電圧以下の状態から、閾値電圧を超えたとき、通常の主電源ＯＮ時、瞬時停電発生時を問わず、演算部及び２次電源部を起動させるための起動信号を出力する。【選択図】図５
2011229209.tif 000002
【特許請求の範囲】
【請求項１】
電源装置と、
前記電源装置の出力電圧に基づき、動作用電圧を生成する１又は複数の２次電源部と、
前記電源装置及び／又は前記２次電源部が出力する動作用電圧を受け動作する１又は複数の演算部と、
前記２次電源部及び前記演算部と、前記電源装置との間に接続され、前記電源装置の出力電圧を監視する監視部と、を備え、
前記監視部は、前記電源装置の出力電圧が予め定められた閾値電圧以下の状態から、前記閾値電圧を超えたとき、前記演算部及び前記２次電源部を起動させるための起動信号を出力することを特徴とする制御装置。
【請求項２】
前記監視部と前記２次電源部との間に接続され、前記起動信号が発せられると前記２次電源部での動作用電圧の生成を許可する許可信号を出力する１又は複数の許可信号部と、
前記監視部と前記演算部との間に接続され、若しくは、前記演算部に内蔵され、前記起動信号が発せられると、前記許可信号部が前記許可信号を出力した後に、前記演算部を起動させる１又は複数のリセット部、を有することを特徴とする請求項１記載の制御装置。
【請求項３】
前記電源装置の出力電圧が入力され、前記電源装置の出力電圧が、前記閾値電圧を超えてから、前記演算部が起動した後に、レベルが切り替わる瞬時停電判断用信号を出力する瞬時停電検知部と、
前記電源装置と前記瞬時停電検知部との間に設けられ、瞬時停電が発生したとき、前記瞬時停電検知部に入力される前記電源装置の出力電圧低下を緩和する蓄電部と、を有し、
前記演算部は、前記瞬時停電判断用信号を受け、前記電源装置の出力電圧が前記閾値電圧を超えてから前記待機時間を経過する前に、前記瞬時停電判断用信号のレベルを確認し、前記瞬時停電判断用信号のレベルが切り替わり前の状態であれば、通常の電源投入と判断し、前記瞬時停電判断用信号のレベルが切り替わり後の状態であれば、瞬時停電が発生したと判断することを特徴とする請求項１又は２に記載の制御装置。
【請求項４】
データを記憶する記憶部を備え、
前記記憶部は、瞬時停電発生と前記演算部が判断したとき、瞬時停電が生じた旨を記憶することを特徴とする請求項３に記載の制御装置。
【請求項５】
日時を計時するタイマ部を備え、
前記記憶部は、瞬時停電発生と前記演算部が判断したとき、瞬時停電が生じた旨とともに発生日時を記憶することを特徴とする請求項４に記載の制御装置。
【請求項６】
使用者に報知を行う報知部を備え、
前記報知部は、瞬時停電発生と前記演算部が判断したとき、瞬時停電が生じた旨を報知することを特徴とする請求項３乃至５のいずれか１項に記載の制御装置。
【請求項７】
前記蓄電部は、ローパスフィルタであることを特徴とする請求項３乃至６の何れか１項に記載の制御装置。
【請求項８】
デジタルトランジスタで構成され、前記電源装置と、前記許可信号部及び前記リセット部との間に設けられ、ＯＮ状態では、前記電源装置の出力が前記許可信号部及び前記リセット部に印加される接続される状態とし、ＯＦＦ状態では、前記電源装置の出力が前記許可信号部及び前記リセット部に印加されない状態とするスイッチ部と、を備え、
前記監視部は、前記電源装置の出力電圧が前記閾値電圧以下の状態から、前記閾値電圧を超えたとき、前記スイッチ部をＯＮさせることを特徴とする請求項２乃至７の何れか１項に記載の制御装置。
【請求項９】
請求項１乃至８のいずれか１項に記載の制御装置を含むことを特徴とする画像形成装置。
【発明の詳細な説明】
【技術分野】
【０００１】
本発明は、１次電源としての電源装置と、電源装置から電力の供給を受け、素子駆動用の電圧を生成する２次電源部を備える制御装置と、制御装置を含むプリンタ、複写機、複合機、ファクシミリ装置等の画像形成装置に関する。
【背景技術】
【０００２】
例えば、電気・電子機器の電源には、蓄電池や、商用電源から電力の供給を受け、整流や降圧等を行う電源装置が用いられる。蓄電池や電源装置の出力電圧は、ＩＣやメモリ等で構成される制御装置に供給され、電気・電子機器の動作が制御される。ここで、制御装置への電力供給が一時的に停止し、瞬間的に停電状態（瞬時停電）となることがある。瞬時停電が生ずると、ＩＣやメモリ等に入力される電圧が、駆動電圧よりも小さくなる場合がある。その結果、制御装置や、電気・電子機器が停止状態や反応しない状態となってしまうことがある。
【０００３】
このような瞬時停電に対する発明が特許文献１に記載されている。具体的に特許文献１には、処理プログラムを記録する記録手段、処理プログラムに従った処理を実行する処理手段、電池を含む電源、現在の時刻を計測する計時手段、電源から供給される電圧値が所定の基準値未満であるか否かを検出する電圧低下検出手段、基準値未満を電圧低下検出手段が検出すると、計時手段が生成するクロック信号をカウントするカウント手段、とを備え、処理手段は、電圧低下検出手段が電圧値の基準値以上への復帰を検出すると、カウント手段がカウントしたクロック信号の数を特定し、瞬断であるか否かを判別し、判別結果に従って動作を切り換える携帯端末装置などが記載されている。この構成により、電源電圧が低下した時間の長さを測定し、正確に瞬断を検出して動作を制御しようとする（特許文献１：請求項７、段落００７９等参照）。
【先行技術文献】
【特許文献】
【０００４】
【特許文献１】特開２００１−２５１７８３号公報
【発明の概要】
【発明が解決しようとする課題】
【０００５】
近年、ＣＰＵ、メモリ、ＩＣ等、それぞれ駆動電圧が異なり、制御基板を動作させるには複数種の電圧が必要となる場合がある。そこで、複合機、複写機、プリンタ等の画像形成装置などの機器では、機器内部での１次電源としての電源装置と、電源装置から電力の供給を受け、各種電圧を生成する２次電源部が設けられることがある。例えば、２次電源部には、ＤＣ−ＤＣコンバータ等が用いられ、出力電圧の異なる複数のＤＣ−ＤＣコンバータが搭載される場合もある。
【０００６】
ここで、機器のメインスイッチの素早いＯＦＦ→ＯＮ動作や、配電系統での電圧ドロップや、機器への衝撃などに起因し、瞬時停電が生ずる場合がある。瞬時停電が生じると、電源装置の出力電圧（の絶対値）は一時的に小さくなる。そのため、電源装置から電力の供給を受けるＤＣ−ＤＣコンバータも、影響を受けることがある。
【０００７】
具体的に、ＤＣ−ＤＣコンバータへの入力電圧、言い換えると、電源装置の出力電圧が低下すれば、ＤＣ−ＤＣコンバータは、設計上予定されている電圧を出力できなくなる場合がある。そうすると、瞬時停電で、１次電源の出力電圧で駆動する素子だけでなく、ＤＣ−ＤＣコンバータから駆動用電圧を受ける素子で駆動停止が生ずる場合がある。そうすると、機器は動作停止となり反応せず、故障したと使用者に思わせてしまう場合がある。
【０００８】
特に、ＤＣ−ＤＣコンバータには、安全設計のため（機器の暴走防止等）、入力電圧が低下したことを検知する低電圧検知機能を備え、低電圧を検知すると出力を停止してしまう出力ラッチオフ機能を有するものがある。この場合、瞬時停電によって、電源装置の出力電圧が低下し、ＤＣ−ＤＣコンバータが低電圧を検知すると、ＤＣ−ＤＣコンバータの駆動用電圧を受けるＣＰＵ等の素子は、確実に停止する。
【０００９】
瞬時停電が発生しても、自動的な再起動を行えば、機器は復活する。しかし、通常、ＣＰＵ、ＩＣ、メモリ等を含むシステムでは、電力供給（駆動用電圧）の供給に順序（起動でのシーケンス）がある。又、基板や素子には、瞬時停電の際、リセットが自動的にかかるものとかからないものが存在する。又、１次電源の出力電圧で駆動する系統や素子も存在する。又、２次電源部の出力ラッチオフ機能との兼ね合いもある。そうすると、瞬時停電発生時の機器のあらゆる状態（パターン）に対応できる起動のシーケンスを組む必要が生じる。あるいは、複数種の瞬時停電発生時用の再起動シーケンスを用意する必要もあり得る。従って、システム設計が複雑になるという問題がある。
【００１０】
ここで、特許文献１記載の発明では、瞬断が発生したか否かを判断し、又、電力供給の停止、再開や、電力監視部や電力制御部やＣＰＵや電圧監視回路での信号のやりとりや、ＣＰＵの起動等、制御が複雑である（特許文献１：段落［００３３］、［００６５］等参照）。従って、特許文献１記載の発明は、瞬時停電発生時の機器のあらゆる状態（パターン）で対応できるシーケンスを組むと、更に複雑なものとなり得るものであり、システム設計が複雑になるという問題に対応したものではない。
【００１１】
本発明は、上記従来技術の問題点に鑑みてなされたものであり、瞬時停電発生時、システム全体をリセットすることで、通常の起動時と瞬時停電発生時の再起動で起動シーケンスを共通のものとし、システム設計を容易にすることを課題とする。
【課題を解決するための手段】
【００１２】
上記課題を解決するため、請求項１に係る制御装置は、電源装置と、前記電源装置の出力電圧に基づき、動作用電圧を生成する１又は複数の２次電源部と、前記電源装置及び／又は前記２次電源部が出力する動作用電圧を受け動作する１又は複数の演算部と、前記２次電源部及び前記演算部と、前記電源装置との間に接続され、前記電源装置の出力電圧を監視する監視部と、を備え、前記監視部は、前記電源装置の出力電圧が予め定められた閾値電圧以下の状態から、前記閾値電圧を超えたとき、前記演算部及び前記２次電源部を起動させるための起動信号を出力することとした。
【００１３】
予め定められた閾値電圧を超えた場合というのは、通常の主電源ＯＮ（例えば、商用電源への１次電源としての電源装置の接続）の場合と、瞬時停電後に電源装置の出力電圧が回復した場合が考えられる。そこで、この構成によれば、監視部は、電源装置の出力電圧が予め定められた閾値電圧以下の状態から、閾値電圧を超えたとき、演算部及び２次電源部を起動させるための起動信号を出力する。これにより、瞬時停電発生時、自動的に制御装置の再起動がなされる。従って、動作しない、反応しない状態が続かず、使用者に故障の誤認を与えることがない。
【００１４】
又、通常の主電源ＯＮの場合（例えば、１次電源としての電源装置と商用電源の接続）の起動シーケンスと、瞬時停電後に電源装置の出力電圧が回復した場合の再起動シーケンスとを同じものとすることができる。言い換えると、瞬時停電発生時の機器のあらゆる状態（パターン）に対応できるシーケンスを組む必要や、複数種の瞬時停電発生時用の再起動シーケンスを用意する必要がない。従って、起動シーケンスを１つだけ考慮すればよく、システム設計が容易となる。又、システム開発費も抑えることができる。
【００１５】
尚、閾値電圧は、制御装置の駆動に影響のある瞬時停電を検知できる範囲で任意に定めることができる。例えば、演算部や２次電源部が動作する上で、保証されるべき電源装置の出力電圧値としてもよいし、例えば、電源装置の定格出力に対し９０％以上など、電源装置の出力を基準と定めてもよい。
【００１６】
又、請求項２に係る発明は、請求項１の発明において、前記監視部と前記２次電源部との間に接続され、前記起動信号が発せられると前記２次電源部での動作用電圧の生成を許可する許可信号を出力する１又は複数の許可信号部と、前記監視部と前記演算部との間に接続され、若しくは、前記演算部に内蔵され、前記起動信号が発せられると、前記許可信号部が前記許可信号を出力した後に、前記演算部を起動させる１又は複数のリセット部、を有することとした。
【００１７】
この構成によれば、起動信号が発せられると２次電源部での動作用電圧の生成を許可する許可信号を出力する許可信号部と、起動信号が発せられると、許可信号部が許可信号を出力した後に、演算部を起動させる１又は複数のリセット部が設けられる。これにより、２次電源部が生成する動作用電圧に基づいて演算部が動作する場合、２次電源部が駆動した後、演算部が起動する。従って、適切に演算部を起動させることができる。
【００１８】
又、請求項３に係る発明は、請求項１又は２の発明において、前記電源装置の出力電圧が入力され、前記電源装置の出力電圧が、前記閾値電圧を超えてから、前記演算部が起動した後に、レベルが切り替わる瞬時停電判断用信号を出力する瞬時停電検知部と、前記電源装置と前記瞬時停電検知部との間に設けられ、瞬時停電が発生したとき、前記瞬時停電検知部に入力される前記電源装置の出力電圧低下を緩和する蓄電部と、を有し、前記演算部は、前記瞬時停電判断用信号を受け、前記電源装置の出力電圧が前記閾値電圧を超えてから前記待機時間を経過する前に、前記瞬時停電判断用信号のレベルを確認し、前記瞬時停電判断用信号のレベルが切り替わり前の状態であれば、通常の電源投入と判断し、前記瞬時停電判断用信号のレベルが切り替わり後の状態であれば、瞬時停電が発生したと判断することとした。
【００１９】
この構成によれば、演算部は、電源装置の出力電圧が閾値電圧を超えてから待機時間経過する前に、瞬時停電判断用信号のレベルを確認し、瞬時停電判断用信号のレベルが変化後の状態であれば、瞬時停電が発生したと判断する。これにより、演算部は、瞬時停電が発生したか否かを判断し、認識することができる。
【００２０】
又、請求項４に係る発明は、請求項３の発明において、データを記憶する記憶部を備え、前記記憶部は、瞬時停電発生と前記演算部が判断したとき、瞬時停電が生じた旨を記憶することとした。
【００２１】
この構成によれば、記憶部は、瞬時停電が生じた旨を記憶する。これにより、瞬時停電が発生したことが履歴として残される。従って、メンテナンスの際、履歴を参照することで、不具合動作の原因調査、究明に役立てることができる。例えば、不具合動作が多く機器に異常がある場合、瞬時停電が頻繁に生じていれば、管理者は、基板の故障や配電系統での異常に起因すると判断できる。
【００２２】
又、請求項５に係る発明は、請求項４の発明において、日時を計時するタイマ部を備え、前記記憶部は、瞬時停電発生と前記演算部が判断したとき、瞬時停電が生じた旨とともに発生日時を記憶することとした。
【００２３】
この構成によれば、記憶部は、瞬時停電が生じた旨とともに発生日時を記憶する。これにより、瞬時停電が発生したことと発生日時が履歴として残される。従って、メンテナンスの際、履歴、日時を参照することで、不具合動作の原因の詳細な調査、究明を行うことができる。
【００２４】
又、請求項６に係る発明は、請求項３乃至５の発明において、使用者に報知を行う報知部を備え、前記報知部は、瞬時停電発生と前記演算部が判断したとき、瞬時停電が生じた旨を報知することとした。
【００２５】
この構成によれば、報知部は、瞬時停電が生じた旨を報知する。これにより、使用者に瞬時停電の発生を報知することができる。例えば、１つコンセントに複数の機械を接続していれば（タコ足配線）、配電系統で瞬時停電（瞬間的な電圧ドロップ）が生じやすい。そこで、瞬時停電の発生を報知することで、使用者に対して設置環境（電力供給環境）の見直しの契機を与えることができる。
【００２６】
又、請求項７に係る発明は、請求項３乃至６の発明において、前記蓄電部は、ローパスフィルタであることとした。
【００２７】
この構成によれば、蓄電部をローパスフィルタとする。これにより、蓄電部に要するコストを抑えることができる。
【００２８】
又、請求項８に係る発明は、請求項２乃至７の発明において、デジタルトランジスタで構成され、前記電源装置と、前記許可信号部及び前記リセット部との間に設けられ、ＯＮ状態では、前記電源装置の出力が前記許可信号部及び前記リセット部に印加される接続される状態とし、ＯＦＦ状態では、前記電源装置の出力が前記許可信号部及び前記リセット部に印加されない状態とするスイッチ部と、を備え、前記監視部は、前記電源装置の出力電圧が前記閾値電圧以下の状態から、前記閾値電圧を超えたとき、前記スイッチ部をＯＮさせることとした。
【００２９】
この構成によれば、監視部は、電源装置の出力電圧が閾値電圧以下の状態から、閾値電圧を超えたとき、スイッチ部をＯＮさせる。これにより、監視部は、スイッチ部をＯＮ／ＯＦＦするだけで、制御装置での起動を制御することができる。又、スイッチ部はデジタルトランジスタでよく、スイッチ部に要するコストを抑えることができる。
【００３０】
又、請求項９に係る画像形成装置は、請求項１乃至８のいずれか１項に記載の制御装置を含むこととした。
【００３１】
この構成によれば、請求項１乃至８のいずれかの制御装置を含むので、瞬時停電が生じても、自動的に再起動され、動作しない、反応しない状態が続かず、使用者に故障の誤認を与えない画像形成装置を提供することができる。又、画像形成装置のシステム設計が容易で、画像形成装置の開発費も抑えることができる。従って、画像形成装置の製造に要するコストを下げることができる。
【発明の効果】
【００３２】
上述したように、本発明によれば、制御装置、画像形成装置のシステム設計の容易化を図ることができ、システム開発費の低減を図ることができる。
【図面の簡単な説明】
【００３３】
【図１】実施形態に係る複合機の概略構造を示す模型的正面断面図である。
【図２】実施形態に係る操作パネルの一例を示す平面図である。
【図３】実施形態に係る複合機のハードウェア構成の一例を示すブロック図である。
【図４】実施形態に係る制御装置の電力供給系統の一例を示すブロック図である。
【図５】実施形態に係る制御装置での起動におけるシステム構成の一例を示す回路図である。
【図６】実施形態に係る制御装置の起動時の動作を説明するためのタイミングチャートである。
【図７】実施形態に係る制御装置の瞬時停電発生の有無の判断制御の一例を示すフローチャートである。
【図８】実施形態に係る制御装置での瞬時停電発生と判断された際の処理の一例を示すフローチャートである。
【図９】実施形態に係る制御装置での瞬時停電発生と判断された際の表示画面の一例である。
【発明を実施するための形態】
【００３４】
以下、本発明の実施形態を図１〜図９を用いて説明する。但し、本実施の形態に記載されている構成、配置等の各要素は、発明の範囲を限定するものではなく単なる説明例にすぎない。尚、本発明の制御装置１は、各種機器に適用可能であるが、複合機１００（画像形成装置に相当）に搭載される場合の例を説明する。
【００３５】
（複合機１００の概要）
まず、図１に基づき、本発明の実施形態に係る複合機１００を説明する。図１は、本発明の実施形態に係る複合機１００の概略構造を示す模型的正面断面図である。
【００３６】
図１に示すように、本実施形態の複合機１００は、上部に画像読取部２、さらにその上方に原稿搬送装置１０１が装着される。又、機体内には、給紙部３Ａ、搬送路３Ｂ、画像形成部４Ａ、定着部４Ｂを備える。又、破線で示すように、複合機１００の正面上部に操作パネル５が備えられる。
【００３７】
まず、原稿搬送装置１０１には、使用者が複写を行おうとする各種、各サイズの原稿が載置される。そして、操作パネル５に複写設定や画像データの送信設定等が入力され、ジョブが開始されると、原稿搬送装置１０１は、原稿を１枚ずつ分離しつつ、原稿搬送装置１０１の下方に設けられる画像読取部２による送り読取用コンタクトガラス２１に向けて搬送する。
【００３８】
画像読取部２は、内部に、露光ランプ、反射板、ミラー、レンズ、イメージセンサ（不図示）等が設けられ、送り読取用コンタクトガラス２１を通過する原稿を光学的に読み取り、画像データを得る。尚、原稿搬送装置１０１は、図１の紙面奥側に支点を有し、持ち上げ可能であり、画像読取部２の上面の載置読取用コンタクトガラス２２に書籍等の原稿を１枚ずつ載置して原稿の読み取りを行うことも可能である。
【００３９】
給紙部３Ａは、画像形成部４Ａに向けて用紙を供給する。給紙部３Ａは、各サイズの用紙等の用紙が収納されるカセット３１（図１で上方のものに３１Ａ、下方のものに３１Ｂの符号を付す）を含む。又、給紙部３Ａは、各カセット３１から用紙を１枚ずつ搬送路３Ｂに送り出す給紙ローラ３２（図１で上方のものに３２Ａ、下方のものに３２Ｂの符号を付す）等を備える。例えば、使用者が、操作パネル５で使用する用紙（用紙）のサイズを選択し、スタートキー５４を使用者が押すと、モータ（不図示）等により給紙ローラ３２が回転駆動し、用紙が搬送路３Ｂに供給される。搬送路３Ｂは、用紙を、画像形成部４Ａ、定着部４Ｂを経て排出トレイ３３まで搬送する。搬送路３Ｂには、ガイド（不図示）、複数の搬送ローラ対３４等が設けられる。
【００４０】
画像形成部４Ａは、搬送路３Ｂよって搬送されてきた用紙に対して所定の画像形成を行う。具体的に、画像形成部４Ａは、図１中に示す矢印方向に回転可能に支持された感光体ドラム４１、感光体ドラム４１の周囲に配設された帯電装置４２、現像装置４３、露光装置４４、転写部４５、清掃装置４６を備える。感光体ドラム４１は、画像形成部４Ａの略中心に設けられ、所定方向に回転駆動される。まず、感光体ドラム４１の右上方の帯電装置４２は、感光体ドラム４１の表面を所定電位に均一に帯電させる。帯電装置４２の右方の露光装置４４は、画像読取部２で読み取られた画像データ等に基づき、レーザ光を出力し、感光体ドラム４１を走査露光する。その結果、静電潜像が感光体ドラム４１表面に形成される。
【００４１】
次に、感光体ドラム４１の右下方の現像装置４３は、静電潜像に向けトナーを供給する。その結果、静電潜像はトナー像として現像される。感光体ドラム４１の左下方に設けられる転写部４５と感光体ドラム４１との間ではニップが形成され、このニップを用紙が通過する際に、感光体ドラム４１上のトナー像が用紙に転写される。清掃装置４６は、転写後の感光体ドラム４１の表面を清掃する。
【００４２】
定着部４Ｂは、用紙に転写されたトナー像を定着させる。本実施形態の定着部４Ｂは、主として、発熱体を内蔵する加熱ローラ４７と、加熱ローラ４７に圧接してニップを形成する加圧ローラ４８とで構成される。そして、トナー像の転写された用紙が、このニップを通過することで、トナーが溶融・加熱され、トナー像が用紙に定着する。
【００４３】
（操作パネル５）
次に、図１及び図２を用いて、本発明の実施形態に係る操作パネル５の一例を説明する。図２は、本発明の実施形態に係る操作パネル５の一例を示す平面図である。
【００４４】
操作パネル５は、図１に示すように、複合機１００の正面上方に設けられる。そして、操作パネル５は、複合機１００の設定や動作指示を与えるためのメニューやキーや状態メッセージ等の各種画像、画面を表示する液晶表示部５１（報知部に相当）を有する。使用者は、液晶表示部５１に表示されたキーを押下して、複合機１００のコピーにおける各種設定や動作指示を行える。
【００４５】
又、液晶表示部５１の上面にタッチパネル部５２が設けられる。タッチパネル部５２は使用者が液晶表示部５１に押下した部分の位置、座標を検出するためのものである。このタッチパネル部５２を用いた検出座標と、液晶表示部５１に示される各種キーの位置、座標を比較し、使用者が押下して選択したキーが特定される。尚、タッチパネル部５２としては、抵抗膜方式、表面弾性波方式、赤外線方式、静電容量方式等、各方式のものを採用でき特に制限はない。
【００４６】
又、操作パネル５には、ハードとしてのキー（ボタン）が設けられる。例えば、数字入力用のテンキー部５３（入力部に相当）や、各種設定後、コピー等の処理開始指示用のスタートキー５４（入力部に相当）等が設けられる。
【００４７】
（複合機１００のハードウェア構成）
次に、図３に基づき、本発明の実施形態に係る複合機１００のハードウェア構成の一例を説明する。図３は、本発明の実施形態に係る複合機１００のハードウェア構成の一例を示すブロック図である。
【００４８】
図３に示すように、本実施形態に係る複合機１００は、内部の制御基板上にメイン制御部６（メイン制御基板）を有する。メイン制御部６は、装置全体の動作を統括し、複合機１００の各部の制御を司る。そして、メイン制御部６には、例えば、中央演算処理装置としてメインＣＰＵ６０（演算部に相当）が設けられる。
【００４９】
そして、メイン制御部６は、記憶装置としてのＲＯＭ６１（記憶部に相当）やＲＡＭ６２を実装する。又、メイン制御部６は通信可能に、記憶装置としてのＨＤＤ６３（記憶部に相当）等と接続される。ＨＤＤ６３は、画像データの記憶やプログラム、各種管理データの記憶に利用される（例えば、数十Ｇバイト以上）。ＲＯＭ６１は、例えば、フラッシュＲＯＭで、電源がオフしても記憶内容が保持される不揮発性メモリである。ＲＯＭ６１やＨＤＤ６３は、メインＣＰＵ６０が制御のため実行するプログラムや、起動時プログラムや装置固有の各種パラメータなどの各種制御用の固定データを記憶する。ＲＡＭ６２は、メインＣＰＵ６０が制御の際に実行するプログラムや、画像データ等の各種データを一時的に記憶する。
【００５０】
又、メイン制御部６には、画像データに対して各種画像処理を行う画像処理部６４を設けることができる。画像処理部６４は、例えば、画像処理専用の回路としてのＡＳＩＣ６５（図４参照）や画像処理用メモリ等（不図示）を含む。そして、画像処理部６４は、例えば、濃度変更や拡大縮小等の各種画像処理を画像データに施す。尚、画像処理部６４が行える画像処理は多岐にわたるので、公知の複合機１００に関する画像処理をおこなえるものとして、実行可能な画像処理の詳細の説明は省略する。
【００５１】
又、メイン制御部６には（メイン制御部６外でもよい）、日時を計り、蓄電池６７でバックアップされるタイマ部６６が設けられる。これにより、メイン制御部６は、ジョブの実行日時やエラー発生日時等の各種の項目について、履歴を残すことができる。
【００５２】
又、メイン制御部６には、用紙搬送や印刷を実際に制御するエンジン制御部４０が通信可能に接続される。メイン制御部６は、エンジン制御部４０に指示を与える。この指示を受けて、エンジン制御部４０は、用紙搬送や画像形成で用いる各種回転体（搬送ローラ対３４や感光体ドラム４１等）を回転させる等、給紙部３Ａ、搬送路３Ｂ、画像形成部４Ａ、定着部４Ｂを制御する。
【００５３】
又、メイン制御部６には、原稿の読取に関し、原稿を搬送する原稿搬送装置１０１や、原稿を読み取る画像読取部２と通信可能に接続される。メイン制御部６は、原稿搬送装置１０１や画像読取部２に指示を与える。この指示を受けて、原稿搬送装置１０１は、原稿の搬送を、画像読取部２は、原稿読取を実際に制御する。
【００５４】
又、複合機１００は、外部との通信インターフェイスとしての通信部６８（データ入力部に相当）を含む。通信部６８は、例えば、外部のコンピュータ２００（例えば、パーソナルコンピュータ）と、ネットワークやケーブルで接続して通信を行うためのデータ通信部６８Ａを含む。データ通信部６８Ａは、例えば、ネットワーク接続や直接的に複合機１００とコンピュータ２００を直接接続するためのコネクタ、通信制御用のコントローラ、チップを含む。このデータ通信部６８Ａにより、複合機１００は、コンピュータ２００等から画像データ等を含む印刷用データを受け印刷を行うことができる（プリンタ機能）。
【００５５】
又、画像読取部２での読み取りで得られた画像データ等を複合機１００からコンピュータ２００に送信できる（スキャナ機能）。又、通信部６８には、相手方ＦＡＸ装置３００と通信を行うためのＦＡＸ通信部６８Ｂを含むことができる。ＦＡＸ通信部６８Ｂは、ファクシミリとしての機能を果たす部分で、モデムや、画像データのファクシミリに対応した形式への変換や、受信データの伸張のための回路、チップ等を含む（ＦＡＸ機能）。
【００５６】
又、メイン制御部６は、バス等で操作パネル５とも通信可能に接続される。例えば、操作パネル５には、液晶表示部５１の表示を制御し、又、各種ハードキー（スタートキー５４等）の押下を認識し、タッチパネル部５２の出力電圧に基づき、押下位置（座標）を検知する表示制御部５０が設けられる。そして、操作パネル５になされた設定内容を示すデータは、メイン制御部６に送られ、メイン制御部６は、複合機１００を使用者の設定どおりに動作するように制御する。
【００５７】
又、メイン制御部６は、複合機１００に内蔵される電源装置７と通信可能に接続される。例えば、メイン制御部６は、電力供給先等を電源装置７に指示できる。又、例えば、メイン制御部６は、通常モード（コピーや画像データの送信ができる状態）から、省電力モードへの移行を電源装置７に指示できる。省電力モード移行指示を受けると、電源装置７は、例えば、エンジン制御部４０や、画像読取部２への電力供給を停止し、消費される電力を減らす。一方、操作パネル５への入力等、省電力モードから通常モードへの復帰要因が生ずれば、例えば、メイン制御部６は、通常モードへの復帰を電源装置７に指示できる。この場合、電源装置７は、エンジン制御部４０や、画像読取部２への電力供給を再開し、定着部４ＢでのヒータをＯＮ等を行わせる。
【００５８】
（電力供給系統）
次に、図４を用いて、本発明の実施形態に係る制御装置１の電力供給系統の一例を説明する。図４は、本発明の実施形態に係る制御装置１の電力供給系統の一例を示すブロック図である。
【００５９】
複合機１００には、複合機１００を制御するための制御装置１が搭載される。本実施形態の複合機１００の制御装置１は、例えば、図４に示すように、電源装置７と、メイン制御部６、エンジン制御部４０、スキャナ制御部２０（画像読取部２の制御部）等の複数の制御部（制御基板）等で構成される。
【００６０】
まず、１次電源としての電源装置７は、商用電源と接続される。電源装置７は、整流回路や、昇降圧回路等を有し、商用電源が接続されると直流電圧を出力する（例えば、ＤＣ５Ｖ）。そして、電源装置７は、例えば、出力端子Ｖｏｕｔ１、出力端子Ｖｏｕｔ２を有する。例えば、一方の出力端子Ｖｏｕｔ１は、メイン制御部６用のものであり、他方の出力端子Ｖｏｕｔ２は、エンジン制御部４０やスキャナ制御部２０等、メイン制御部６以外の基板（制御部）等に供給するためのものである。
【００６１】
以下では、説明の便宜上、メイン制御部６用の出力端子Ｖｏｕｔ１からの出力を「出力電圧Ｖｏ」と称し、メイン制御部６以外の基板用の出力端子Ｖｏｕｔ２からの出力を「出力電圧Ｖｏ＿ＳＬ」と称する。尚、出力端子Ｖｏｕｔ１の電圧値と出力端子Ｖｏｕｔ２の電圧値は、同じである。又、メイン制御部６は、電源装置７に対し、出力電圧Ｖｏ＿ＳＬのＯＮ／ＯＦＦを指示できる。これにより、省電力モードの際には、出力電圧Ｖｏ＿ＳＬからの出力をＯＦＦするだけでエンジン制御部４０やスキャナ制御部２０等の駆動を停止させることができる。
【００６２】
尚、電源装置７は、複合機１００内のモータ駆動用の電圧を生成する。そして、複合機１００内のモータに電力を供給する（例えば、ＤＣ２４Ｖ）。しかし、このモータ駆動用の電圧の配線（配電）については、便宜上、図示を省略する。
【００６３】
使用者は、電源装置７と商用電源との接続、遮断をメインスイッチＭＳで行える。例えば、メインスイッチＭＳは、複合機１００の側面等に設けられ、使用者の操作によって、機械的に電源装置７と商用電源の接続、遮断を切り替える。尚、メインスイッチＭＳは機械式のスイッチに限られず、電源装置７と商用電源の接続、遮断を行えればよい。このように、使用者は、メインスイッチＭＳのＯＮ／ＯＦＦによって、複合機１００や制御装置１の主電源のＯＮ／ＯＦＦを行える。
【００６４】
そして、メイン制御部６には、上述したように、メインＣＰＵ６０、ＲＯＭ６１、ＲＡＭ６２、ＡＳＩＣ６５等の素子が設けられる（実装される）（図３参照）。そして、本実施形態でのメインＣＰＵ６０、ＲＯＭ６１、ＲＡＭ６２、ＡＳＩＣ６５等の各素子は、駆動電圧が異なる（例えば、ＤＣ３．３Ｖ、２．５Ｖ、１．８Ｖ、１．２Ｖ等）。
【００６５】
そこで、各素子の駆動用電圧を生成のため、本実施形態のメイン制御部６には、複数のＤＣ−ＤＣコンバータ８（２次電源部に相当）が設けられる。尚、電源装置７の出力電圧Ｖｏでも駆動する素子に対しては、ＤＣ−ＤＣコンバータ８に設ける必要がない。例えば、メインＣＰＵ６０のみＤＣ−ＤＣコンバータ８が必要ならば、メイン制御部６に設けられるＤＣ−ＤＣコンバータ８は、１つとなる。
【００６６】
各ＤＣ−ＤＣコンバータ８は、電源装置７の出力電圧Ｖｏを変圧して、対応するメインＣＰＵ６０等の素子に与える。例えば、ＤＣ−ＤＣコンバータ８は、電源装置７の出力電圧Ｖｏの５Ｖを降圧して、メインＣＰＵ６０等の素子用の駆動用電圧を生成する。
【００６７】
又、メイン制御部６から指示を受け、印刷に関し実際に制御を行うエンジン制御部４０や、原稿読取に関し実際に制御を行うスキャナ制御部２０にも電源装置７から電力が供給される。
【００６８】
エンジン制御部４０に関しては、エンジン制御部４０には、エンジンＣＰＵ４０１（演算部に相当）やエンジン用メモリ４０２等が設けられる。エンジンＣＰＵ４０１は、エンジン用メモリ４０２に記憶されるデータやプログラムを用い、給紙部３Ａ、搬送路３Ｂ、画像形成部４Ａ、定着部４Ｂ等の動作を制御する。このように、エンジン制御部４０は、印刷に関する制御を実際に行う。
【００６９】
そして、エンジンＣＰＵ４０１やエンジン用メモリ４０２には、電源装置７から電力が供給される。具体的には、エンジンＣＰＵ４０１やエンジン用メモリ４０２には、電源装置７の出力電圧Ｖｏ＿ＳＬが印加される。尚、図４に示すように、エンジンＣＰＵ４０１やエンジン用メモリ４０２には、電源装置７の出力電圧Ｖｏ＿ＳＬで駆動するものが用いられるが、必要であれば、メイン制御部６と同様に、ＤＣ−ＤＣコンバータ８が設けられてもよい。
【００７０】
一方、スキャナ制御部２０に関しては、スキャナ制御部２０には、スキャナＣＰＵ２３（演算部に相当）やスキャナ用メモリ２４等が設けられる。スキャナＣＰＵ２３は、スキャナ用メモリ２４に記憶されるデータやプログラムを用いて、画像読取部２内のランプの点消灯や、ランプやミラーの移動や、イメージセンサの動作等を制御する。このように、スキャナ制御部２０は、原稿読取に関する制御を実際に行う。
【００７１】
そして、スキャナＣＰＵ２３やスキャナ用メモリ２４も、電源装置７から電力供給を受ける。具体的には、スキャナＣＰＵ２３やスキャナ用メモリ２４には、電源装置７の出力電圧Ｖｏ＿ＳＬが印加される。尚、図４に示すように、スキャナＣＰＵ２３やスキャナ用メモリ２４には、電源装置７の出力電圧Ｖｏ＿ＳＬで駆動するものが用いられるが、必要であれば、メイン制御部６と同様に、ＤＣ−ＤＣコンバータ８が設けられてもよい。
【００７２】
（起動におけるシステム構成）
次に、図５に基づき、本発明の実施形態に係る制御装置１での起動におけるシステム構成の一例を説明する。図５は、本発明の実施形態に係る制御装置１での起動におけるシステム構成の一例を示す回路図である。
【００７３】
まず、メイン制御部６（メイン基板）に関し説明する。メイン制御部６には、電源装置７の出力電圧Ｖｏが閾値電圧Ｖｔｈ以下か、閾値電圧Ｖｔｈを超えるかを監視する監視リセットＩＣ９（監視部に相当）が設けられる。監視リセットＩＣ９は、起動におけるシステム構成において、電源装置７に最も近く、最上流に位置する。監視リセットＩＣ９は、出力電圧Ｖｏが入力され、又、監視リセットＩＣ９の出力は、スイッチ部９１に入力される。尚、本実施形態の監視リセットＩＣ９は、オープンドレインであるため、プルアップ用の抵抗Ｒ１が、出力電圧Ｖｏと監視リセットＩＣ９の出力の間に設けられる。
【００７４】
尚、閾値電圧Ｖｔｈは、制御装置１の駆動に影響のある瞬時停電を検知できる範囲で任意に定めることができる。例えば、演算部（各ＣＰＵ等）や２次電源部（ＤＣ−ＤＣコンバータ８）が動作する上で、保証されるべき電源装置７の出力電圧Ｖｏ値としてもよいし、例えば、電源装置７の定格出力に対し９０％以上など、電源装置７の出力を基準と定めてもよい。
【００７５】
スイッチ部９１は、デジタルトランジスタであり、ｎｐｎトランジスタとｐｎｐトランジスタが組み合わせられ１チップ化される。具体的に、ｐｎｐトランジスタのエミッタに出力電圧Ｖｏが接続され、コレクタには、後述のメインリセットＩＣ９２（リセット部に相当）と、メインシーケンサ９３（許可信号部に相当）が並列して接続される。そして、ｐｎｐトランジスタのベースには、ｎｐｎトランジスタのコレクタが接続される。又、ｎｐｎトランジスタのエミッタはグランドに接続され、ベースには、監視リセットＩＣ９の出力が接続される。
【００７６】
監視リセットＩＣ９は、出力電圧Ｖｏが閾値電圧Ｖｔｈを超えると、Ｈｉｇｈとなる信号Ｍ０（起動信号に相当）を出力する。その結果、スイッチ部９１が導通し、出力電圧ＶｏがメインリセットＩＣ９２と、メインシーケンサ９３に印加される。一方、監視リセットＩＣ９は、出力電圧Ｖｏが閾値電圧Ｖｔｈ以下であれば、Ｌｏｗとなる信号Ｍ０を出力する。その結果、スイッチ部９１が非導通状態となり、出力電圧ＶｏはメインリセットＩＣ９２と、メインシーケンサ９３に印加されない。
【００７７】
メインリセットＩＣ９２は、メインＣＰＵ６０に対し、起動（初期動作）の指示を行うためのリセットＩＣである。言い換えると、メインリセットＩＣ９２は、メインＣＰＵ６０のリセット解除を行う。具体的に、メインリセットＩＣ９２は、入力される電圧がＨｉｇｈに立ち上がり（出力電圧Ｖｏの印加があり）、その状態を一定時間維持すると、メインＣＰＵ６０にＨｉｇｈを入力する。メインＣＰＵ６０は、メインリセットＩＣ９２からの信号Ｍ１のレベルがＬｏｗからＨｉｇｈに立ち上がると、起動を開始する。尚、図示はしないが、メインリセットＩＣ９２は、ＡＳＩＣ６５等に対して設けられてもよく、１つとは限らず複数設けることができる。
【００７８】
メインシーケンサ９３は、ＤＣ−ＤＣコンバータ８に対し電圧の生成開始の指示を行うシーケンサＩＣである。具体的に、メインシーケンサ９３は、入力される電圧がＨｉｇｈに立ち上がり（出力電圧Ｖｏの印加があり）、その状態が一定時間維持されると、ＤＣ−ＤＣコンバータ８にイネーブル信号Ｍ２（許可信号に相当）を出力する（本実施形態では、Ｈｉｇｈがイネーブル）。ＤＣ−ＤＣコンバータ８は、メインシーケンサ９３からのイネーブル信号Ｍ２のレベルがＨｉｇｈに立ち上がると、電圧の生成を開始する。尚、図示はしないが、ＤＣ−ＤＣコンバータ８が複数搭載される場合、メインシーケンサ９３は、各ＤＣ−ＤＣコンバータ８に対して設けられてもよく、１つとは限らず複数設けることができる。
【００７９】
又、メインＣＰＵ６０が起動を行うには、メインＣＰＵ６０の駆動用電圧が供給されている必要がある。そこで、電源装置７の出力電圧Ｖｏが閾値電圧Ｖｔｈを超えてからメインシーケンサ９３がイネーブル信号Ｍ２をＤＣ−ＤＣコンバータ８に出力するまでの時間は、電源装置７の出力電圧Ｖｏが閾値電圧Ｖｔｈを超えてからメインリセットＩＣ９２がイネーブル信号Ｍ１をＨｉｇｈにするまでの時間よりも短い（図６参照）。又、ＤＣ−ＤＣコンバータ８は、メイン制御部６に複数設けられることもあるが、図５では、便宜上、１つのみ図示している。
【００８０】
又、メイン制御部６には、瞬時停電が発生したかを検知するための瞬停検知用ＩＣ９４（瞬時停電検知部に相当）と瞬停検知用ＩＣ９４の前段に蓄電部９５が設けられる。瞬停検知用ＩＣ９４には、電源装置７の出力電圧Ｖｏが入力される。そして、瞬停検知用ＩＣ９４は、出力電圧Ｖｏが予め定められた一定値以下の状態から一定値を超えたとき、一定値を超えてから一定時間経過後に、レベルを変化させる信号Ｍ３（瞬時停電判断用信号に相当）を出力する。具体的に、本実施形態の瞬停検知用ＩＣ９４は、出力電圧Ｖｏが予め定められた一定値以下の状態から一定値を超えたとき、一定値を超えてから一定時間経過後に、ＬｏｗからＨｉｇｈに変化する信号Ｍ３を出力する。そして、瞬停検知用ＩＣ９４は、出力電圧Ｖｏが一定値以下となるまで、Ｈｉｇｈを出力し続ける。
【００８１】
尚、瞬停検知用ＩＣ９４の一定値は、瞬停検知用ＩＣ９４が出力電圧Ｖｏの低下を、監視リセットＩＣ９ほど敏感に検知しなくてもよいので、閾値電圧Ｖｔｈよりも、絶対値が小さくてよい。
【００８２】
一方、蓄電部９５は、例えば、抵抗Ｒ３とコンデンサＣで構成されるローパスフィルタである。この蓄電部９５を設けることで（ローパスフィルタのコンデンサの蓄電と放電を利用することで）、瞬時停電発生時に瞬停検知用ＩＣ９４に入力される電圧の低下をなだらかにすることができる。言い換えると、瞬時停電が発生しても、瞬停検知用ＩＣ９４に入力される電圧が一定値以下となり難い。
【００８３】
次に、エンジン制御部４０（エンジン基板）を説明する。本実施形態のエンジン基板には、メイン制御部６の監視リセットＩＣ９の出力（信号Ｍ０）が入力される。そして、エンジン制御部４０には、メイン制御部６と同様にｎｐｎトランジスタとｐｎｐトランジスタが組み合わせられたデジタルトランジスタのスイッチ部９１が設けられる。スイッチ部９１のｐｎｐトランジスタのエミッタに出力電圧Ｖｏ＿ＳＬが接続され、コレクタには、後述のエンジンリセットＩＣ９６（リセット部に相当）が接続される。そして、ｐｎｐトランジスタのベースには、ｎｐｎトランジスタのコレクタが接続される。又、ｎｐｎトランジスタのエミッタはグランドに接続され、ベースには、監視リセットＩＣ９の出力信号Ｍ０が入力される。
【００８４】
監視リセットＩＣ９は、出力電圧Ｖｏが閾値電圧Ｖｔｈを超えると、Ｈｉｇｈとなる信号Ｍ０を出力する。その結果、エンジン制御部４０のスイッチ部９１も導通し、出力電圧Ｖｏ＿ＳＬがエンジンリセットＩＣ９６に印加される。一方、監視リセットＩＣ９は、出力電圧Ｖｏが閾値電圧Ｖｔｈ以下であれば、Ｌｏｗとなる信号Ｍ０を出力する。その結果、エンジン制御部４０のスイッチ部９１も非導通状態となり、出力電圧Ｖｏ＿ＳＬはエンジンリセットＩＣ９６に印加されない。
【００８５】
エンジンリセットＩＣ９６は、エンジンＣＰＵ４０１に対し、起動（初期動作）の指示を行うためのリセットＩＣである。言い換えると、エンジンリセットＩＣ９６は、エンジンＣＰＵ４０１のリセット解除を行う。具体的に、エンジンリセットＩＣ９６は、入力される電圧がＨｉｇｈに立ち上がり（出力電圧Ｖｏ＿ＳＬの印加があり）、その状態が一定時間維持されると、エンジンＣＰＵ４０１にＨｉｇｈを入力する。言い換えると、エンジンＣＰＵ４０１は、エンジンリセットＩＣ９６からの信号Ｅ１のレベルがＬｏｗからＨｉｇｈに立ち上がると、起動を開始する。
【００８６】
次に、スキャナ制御部２０（スキャナ基板）を説明する。本実施形態のスキャナ基板にもメイン制御部６の監視リセットＩＣ９の出力（信号Ｍ０）が入力される。そして、スキャナ制御部２０には、メイン制御部６と同様にｎｐｎトランジスタとｐｎｐトランジスタが組み合わせられたデジタルトランジスタのスイッチ部９１が設けられる。スイッチ部９１のｐｎｐトランジスタのエミッタに出力電圧Ｖｏ＿ＳＬが接続され、コレクタには、後述のスキャナＣＰＵ２３が接続される。そして、ｐｎｐトランジスタのベースには、ｎｐｎトランジスタのコレクタが接続される。又、ｎｐｎトランジスタのエミッタはグランドに接続され、ベースには、監視リセットＩＣ９の出力する信号Ｍ０が入力される。
【００８７】
このように、メイン制御部６、エンジン制御部４０、スキャナ制御部２０にそれぞれスイッチ部９１が設けられる。即ち、制御装置１には、デジタルトランジスタで構成され、電源装置７と、許可信号部（メインシーケンサ９３）及びリセット部（各リセットＩＣ、リセット回路９７等）との間に設けられ、ＯＮ状態では、電源装置７の出力が許可信号部及びリセット部に印加される接続される状態とし、ＯＦＦ状態では、電源装置７の出力が許可信号部及びリセット部に印加されない状態とするスイッチ部９１と、を備え、監視部（監視リセットＩＣ９）は、電源装置７の出力電圧Ｖｏが閾値電圧Ｖｔｈ以下の状態から、閾値電圧Ｖｔｈを超えたとき、スイッチ部９１をＯＮさせる（起動信号Ｍ０）。
【００８８】
監視リセットＩＣ９は、出力電圧Ｖｏが閾値電圧Ｖｔｈを超えると、Ｈｉｇｈとなる信号Ｍ０を出力する。その結果、スキャナ制御部２０のスイッチ部９１も導通し、出力電圧Ｖｏ＿ＳＬがスキャナＣＰＵ２３に印加される。一方、監視リセットＩＣ９は、出力電圧Ｖｏが閾値電圧Ｖｔｈ以下であれば、Ｌｏｗとなる信号Ｍ０を出力する。その結果、スキャナ制御部２０のスイッチ部９１も非導通状態となり、出力電圧Ｖｏ＿ＳＬはスキャナＣＰＵ２３に印加されない。
【００８９】
スキャナＣＰＵ２３は、内部にリセット回路９７（リセット部に相当）を含むタイプのＣＰＵである。リセット回路９７は、スキャナＣＰＵ２３が起動（初期動作）を開始してよいか確認を行うための回路である。言い換えると、リセット回路９７は、スキャナＣＰＵ２３のリセット解除を行う。具体的に、リセット回路９７は、入力される電圧がＨｉｇｈに立ち上がり（出力電圧Ｖｏ＿ＳＬの印加があり）、その状態が一定時間維持されたことを確認する。スキャナＣＰＵ２３は、その状態が一定時間維持されたことが確認できれば、起動を開始する。
【００９０】
（起動時の動作）
次に、図５、図６を用いて、本発明の実施形態に係る制御装置１での起動時の動作の一例を説明する。図６は、本発明の実施形態に係る制御装置１の起動時の動作を説明するためのタイミングチャートである。
【００９１】
本実施形態の制御装置１の起動は、複数に場合分けできる。そこで、通常の主電源ＯＮの場合、省電力モードからの復帰の場合、瞬時停電が発生した場合に分けて、起動時の制御装置１の動作を説明する。
【００９２】
［通常の主電源ＯＮの場合］
通常の主電源ＯＮとは、メインスイッチＭＳがＯＦＦ状態からＯＮ状態にされ、電源装置７が商用電源に接続された場合である。例えば、前日の業務終了時に複合機１００のメインスイッチＭＳを切り、翌日の始業時に複合機１００のメインスイッチＭＳをＯＮした場合などが当てはまる。
【００９３】
電源装置７が商用電源と接続されると、電源装置７は、各制御部用に電圧を生成し始める。これにより、電源装置７から出力電圧ＶｏとＶｏ＿ＳＬの出力が開始される（図６におけるＴ１の時点）。
【００９４】
出力電圧Ｖｏが閾値電圧Ｖｔｈをこえたことを監視リセットＩＣ９は認識する。そして、閾値電圧Ｖｔｈを超えてから、予め定められた時間が経過すると、監視リセットＩＣ９は、出力信号Ｍ０をＬｏｗからＨｉｇｈに変化させる（図６におけるＴ２の時点）。これにより各制御部でのスイッチ部９１がＯＮとなり、メイン制御部６では、メインリセットＩＣ９２、メインシーケンサ９３、エンジン制御部４０ではエンジンリセットＩＣ９６、スキャナ制御部２０では、スキャナＣＰＵ２３に電源装置７が出力する電圧（Ｖｏ、Ｖｏ＿ＳＬ）が印加される。
【００９５】
次に、メインシーケンサ９３は、出力電圧Ｖｏを受けてから予め定められた時間が経過すると、イネーブル信号Ｍ２をＬｏｗからＨｉｇｈに変化させる（図６におけるＴ３の時点）。これにより各ＤＣ−ＤＣコンバータ８での駆動電圧の生成が開始される。そして、生成開始から定められた電圧が安定して出力されるまでの仕様上、設計上の時間が経過すると、各ＤＣ−ＤＣコンバータ８は各素子用の駆動用電圧の出力を開始する（図６におけるＴ４の時点）。
【００９６】
又、本実施形態のエンジン制御部４０、スキャナ制御部２０では、ＤＣ−ＤＣコンバータ８は設けられず、ＤＣ−ＤＣコンバータ８の安定駆動開始を確認しなくてよい。そこで、例えば、エンジンリセットＩＣ９６は、出力電圧Ｖｏ＿ＳＬを受けてから予め定められた時間が経過すると、エンジンＣＰＵ４０１の起動を開始させるため、信号Ｅ１のレベルをＬｏｗからＨｉｇｈに立ち上げる（図６におけるＴ３の時点）。これにより、エンジンＣＰＵ４０１の起動（立ち上げ）がなされる。又、リセット回路９７は、出力電圧Ｖｏ＿ＳＬを受けてから予め定められた時間が経過すると、スキャナＣＰＵ２３の起動を開始させる（図６におけるＴ３の時点）。これにより、スキャナＣＰＵ２３でも起動（立ち上げ）がなされる。尚、エンジン制御部４０、スキャナ制御部２０で、ＤＣ−ＤＣコンバータ８をもうける場合は、エンジンリセットＩＣ９６やリセット回路９７は、ＤＣ−ＤＣコンバータ８の安定駆動開始後に、信号Ｅ１の立ち上げやスキャナＣＰＵ２３の起動が開始される。
【００９７】
次に、メインリセットＩＣ９２は、出力電圧Ｖｏを受けてから予め定められた時間が経過すると（ＤＣ−ＤＣコンバータ８の安定駆動開始以後が条件）、出力信号Ｍ１をＬｏｗからＨｉｇｈに変化させる（図６におけるＴ５の時点）。これによりメインＣＰＵ６０での起動（立ち上げ）が開始される。
【００９８】
このように、通常の主電源ＯＮの場合、起動時の動作としては、（１）出力電圧Ｖｏ、Ｖｏ＿ＳＬがＨｉｇｈを出力→（２）監視リセットＩＣ９がＨｉｇｈを出力→（３）メインシーケンサ９３、エンジンリセットＩＣ９６、リセット回路９７がＨｉｇｈを出力→（４）ＤＣ−ＤＣコンバータ８がＨｉｇｈを出力→（５）メインリセットＩＣ９２がＨｉｇｈを出力の順番となる。
【００９９】
［省電力モードからの復帰の場合］
本実施形態では、省電力モード中でもメイン制御部６には電力が供給される例を説明する。例えば、複合機１００が操作されず、又、利用されない状態が、省電力モード移行時間（例えば、操作パネル５への入力により設定）だけ続いた場合、通常モードから省電力モードに移行する。
【０１００】
省電力モードでは、例えば、メイン制御部６は、電源装置７に、エンジン制御部４０やスキャナ制御部２０への電力供給を停止させる指示を行う。そこで、例えば、電源装置７は、エンジン制御部４０やスキャナ制御部２０用の出力端子Ｖｏｕｔ２からの電力供給を停止させる（図６におけるＴ６の時点）。これにより、エンジン制御部４０やスキャナ制御部２０は動作を停止する。エンジン制御部４０やスキャナ制御部２０は制御を行わないので、画像形成部４Ａや定着部４Ｂや画像読取部２等は動作せず、省電力が実現される。
【０１０１】
例えば、コンピュータ２００からの画像データの送信や操作パネル５への入力等、省電力モードから通常モードへの復帰要因が生ずれば、メイン制御部６は、電源装置７に出力端子Ｖｏｕｔ２からの電力供給を再開させる（図６におけるＴ７の時点）。ここで、省電力モードでも電源装置７の出力電圧Ｖｏは、メイン制御部６に供給される。従って、監視リセットＩＣ９の出力（信号Ｍ０）はＨｉｇｈ状態である。これにより、通常の主電源ＯＮの場合と同様、Ｖｏ＿ＳＬがＨｉｇｈを出力、監視リセットＩＣ９がＨｉｇｈを出力→エンジンリセットＩＣ９６、リセット回路９７がＨｉｇｈを出力といった経過を辿り、エンジン制御部４０やスキャナ制御部２０は、起動する。
【０１０２】
［瞬時停電が発生した場合］
機器のメインスイッチＭＳの素早いＯＮ→ＯＦＦ→ＯＮ動作や、配電系統での電圧ドロップ、機器への衝撃などに起因し、瞬時停電が生ずる場合がある。瞬時停電が生じると、電源装置７の出力電圧Ｖｏ、Ｖｏ＿ＳＬは一時的に小さくなる（図６におけるＴ８の時点）。この時、各ＤＣ−ＤＣコンバータ８の出力も低下する。このため、ＤＣ−ＤＣコンバータ８の出力が、メインＣＰＵ６０等の各素子の駆動に要する電圧を下回ることがある。そうすると、メインＣＰＵ６０等の素子の動作が停止するエラーが生ずる場合がある。そうすると、操作パネル５の液晶表示部５１が表示されない、画像データを送信しても印刷されない、というように、複合機１００は反応しない状態となることがある。
【０１０３】
複合機１００が反応しない状態となっても、再起動することが考えられる。しかし、瞬時停電時に動作が停止する素子もあれば、停止せずに済む素子もある。又、瞬時停電の程度により、勝手にリセットが働く機能を有する素子もある。又、各ＤＣ−ＤＣコンバータ８のうち、出力が停止するものもあれば、停止しないことも生じ得る。従来、確実、適切に再起動を行うため、あらゆる素子やＤＣ−ＤＣコンバータ８の状態に対応した複雑な再起動のシーケンスを用意していた。しかし、本発明の制御装置１は、複雑な再起動のシーケンスを用いず、確実、適切に再起動を行う。
【０１０４】
出力電圧ＶｏとＶｏ＿ＳＬが低下する瞬時停電が生ずると、監視リセットＩＣ９は、出力電圧Ｖｏが閾値電圧Ｖｔｈ以下となったことを認識する（図６におけるＴ８の時点）。そうすると、監視リセットＩＣ９は、出力信号Ｍ０をＨｉｇｈからＬｏｗに変化させる（図６におけるＴ８の時点）。
【０１０５】
これにより、メイン制御部６のスイッチ部９１が非道通状態となり、出力電圧Ｖｏがメインシーケンサ９３に入力されなくなる。そのため、電力供給が絶たれ、メインシーケンサ９３のイネーブル信号Ｍ２はＨｉｇｈからＬｏｗに変化する（図６におけるＴ８の時点）。言い換えると、メインシーケンサ９３は、ディスエーブル信号を出力し、各ＤＣ−ＤＣコンバータ８での駆動電圧の生成が停止される（図６におけるＴ８の時点）。
【０１０６】
又、瞬時停電発生時、メイン制御部６のスイッチ部９１が非道通状態となるので、出力電圧ＶｏがメインリセットＩＣ９２に入力されなくなる。そのため、電力供給が絶たれ、メインリセットＩＣ９２の出力信号Ｍ１はＨｉｇｈにＬｏｗに変化する（図６におけるＴ８の時点）。
【０１０７】
又、瞬時停電発生時、監視リセットＩＣ９の信号がＬｏｗとなるので、エンジンリセットＩＣ９６とスキャナＣＰＵ２３にも、出力電圧Ｖｏ＿ＳＬが入力されなくなる。そのため、電力供給が絶たれ、エンジンリセットＩＣ９６や、リセット回路９７の出力もＨｉｇｈからＬｏｗに立ち下がる（図６におけるＴ８の時点）。
【０１０８】
一方で、瞬時停電による一時的な電圧ドロップ後、出力電圧Ｖｏが閾値電圧Ｖｔｈをこえたことを監視リセットＩＣ９は認識する。そして、閾値電圧Ｖｔｈを超えてから、予め定められた時間が経過すると、監視リセットＩＣ９は、出力信号Ｍ０を再びＬｏｗからＨｉｇｈに変化させる（図６におけるＴ９の時点）。これにより、メインリセットＩＣ９２、メインシーケンサ９３、エンジンリセットＩＣ９６、リセット回路９７への電力供給が再開される。
【０１０９】
このように、監視リセットＩＣ９が、瞬時停電発生時、各スイッチ部９１を操作して、メインリセットＩＣ９２、メインシーケンサ９３、エンジンリセットＩＣ９６、リセット回路９７への電力供給を遮断し、通常の主電源ＯＮ時と同様の状態とする。
【０１１０】
これにより、図６に示すように、瞬時停電発生時の再起動時の動作も、（１）出力電圧Ｖｏ、Ｖｏ＿ＳＬがＨｉｇｈを出力→（２）監視リセットＩＣ９がＨｉｇｈを出力（図６におけるＴ９の時点）→（３）メインシーケンサ９３、エンジンリセットＩＣ９６、リセット回路９７がＨｉｇｈを出力（図６におけるＴ３’の時点）→（４）ＤＣ−ＤＣコンバータ８がＨｉｇｈを出力（図６におけるＴ４’の時点）→（５）メインリセットＩＣ９２がＨｉｇｈを出力の順番となる（図６におけるＴ５’の時点）。従って、通常の主電源ＯＮ時と、瞬時停電発生時での起動の動作が同じになる。
【０１１１】
即ち、本実施形態の制御装置１は、電源装置７と、電源装置７の出力電圧Ｖｏに基づき、動作用電圧を生成する１又は複数の２次電源部（ＤＣ−ＤＣコンバータ８）と、電源装置７及び／又は２次電源部が出力する動作用電圧を受け動作する１又は複数の演算部（各ＣＰＵ、ＩＣ等）と、２次電源部及び演算部（各ＣＰＵ等）と、電源装置７との間に接続され、電源装置７の出力電圧Ｖｏを監視する監視部（監視リセットＩＣ９）と、を備え、監視部は、電源装置７の出力電圧Ｖｏが予め定められた閾値電圧Ｖｔｈ以下の状態から、閾値電圧Ｖｔｈを超えたとき（通常の主電源ＯＮ時、瞬時停電発生時を問わず）、演算部及び２次電源部を起動させるための起動信号（信号Ｍ０）を出力する。
【０１１２】
又、監視部（監視リセットＩＣ９）と２次電源部（ＤＣ−ＤＣコンバータ８）との間に接続され、起動信号（信号Ｍ０）が発せられると２次電源部での動作用電圧の生成を許可する許可信号（イネーブル信号Ｍ２）を出力する１又は複数の許可信号部（メインシーケンサ９３）と、監視部と演算部との間に接続され、若しくは、演算部に内蔵され、起動信号（信号Ｍ０）が発せられると、許可信号部が許可信号（イネーブル信号Ｍ２）を出力した後に、演算部を起動させる１又は複数のリセット部（例えば、メインリセットＩＣ９２）と、を有する。
【０１１３】
（瞬時停電発生の有無の判断）
次に、図６、図７を用いて、本発明の実施形態に係る制御装置１での瞬時停電発生の有無の判断を説明する。図７は、本発明の実施形態に係る制御装置１の瞬時停電発生の有無の判断制御の一例を示すフローチャートである。
【０１１４】
まず、図７のフローチャートでのスタートは、メインＣＰＵ６０の起動時、若しくは、起動後である。まず、上述したように、本実施形態の制御装置１には、蓄電部９５と瞬停検知用ＩＣ９４が設けられる。又、瞬停検知用ＩＣ９４は、出力電圧Ｖｏが予め定められた一定値以下の状態から一定値を超えたとき（例えば、図６のＴ１の時点）、一定値を超えてから一定時間経過後（例えば、メインリセットＩＣがＨｉｇｈを出力した後、言い換えると、Ｔ１〜Ｔ５の間の時間分経過後）に、ＬｏｗからＨｉｇｈに変化する信号Ｍ３を出力する。更に具体的にいうと、瞬停検知用ＩＣ９４が、信号Ｍ３をＬｏｗからＨｉｇｈに変化させるのは、出力電圧Ｖｏが閾値電圧Ｖｔｈを超えてから、メインリセットＩＣ９２によってメインＣＰＵ６０が起動した後（図６におけるＴ１０の時点）である。
【０１１５】
そこで、メインＣＰＵ６０は、起動後、瞬停検知用ＩＣ９４の信号Ｍ３がＬｏｗからＨｉｇｈになる前に（図６におけるＴ５からＴ１０、Ｔ５’からＴ１０の間、白抜矢印で図示）、瞬停検知用ＩＣ９４の出力（レベル）を確認する（ステップ♯１）。言い換えると、メインＣＰＵ６０は、電源装置７の出力電圧Ｖｏが閾値電圧Ｖｔｈ以下の状態から超えた場合に、瞬停検知用ＩＣ９４の信号Ｍ３がＬｏｗからＨｉｇｈになる前の時点で、瞬停検知用ＩＣ９４の出力を確認する。
【０１１６】
そして、メインＣＰＵ６０（メイン制御部６）は、瞬停検知用ＩＣ９４の信号Ｍ３がＬｏｗであることを確認する（ステップ♯２）。もし、通常の主電源ＯＮの際の起動ならば、メインＣＰＵ６０は、瞬停検知用ＩＣ９４の信号Ｍ３がＬｏｗとなる。一方、図６に示すように、瞬時停電発生による再起動ならば、蓄電部９５の存在によって、瞬停検知用ＩＣ９４の信号Ｍ３は、Ｈｉｇｈ状態を維持している。
【０１１７】
そのため、メインＣＰＵ６０は、瞬停検知用ＩＣ９４の信号Ｍ３がＬｏｗであると認識できれば（ステップ♯２のＹｅｓ）、瞬時停電発生せず、通常の主電源ＯＮと判断する（ステップ♯３→エンド）。一方、メインＣＰＵ６０は、瞬停検知用ＩＣ９４の信号Ｍ３がＨｉｇｈであると認識できれば（ステップ♯２のＮｏ）、瞬時停電発生と判断する（ステップ♯４→エンド）。尚、瞬停検知用ＩＣ９４の出力をエンジンＣＰＵ４０１や、スキャナＣＰＵ２３に入力し、エンジンＣＰＵ４０１や、スキャナＣＰＵ２３が瞬時停電発生の判断を行ってもよい。
【０１１８】
即ち、本実施形態の制御装置１は、電源装置７の出力電圧Ｖｏが入力され、電源装置７の出力電圧Ｖｏが、閾値電圧Ｖｔｈを超えてから、演算部（例えば、メインＣＰＵ６０）が起動した後に（予め定められた待機時間経過後に）、レベルが切り替わる瞬時停電判断用信号（信号Ｍ３）を出力する瞬時停電検知部（瞬停検知用ＩＣ９４）と、電源装置７と瞬時停電検知部との間に設けられ、瞬時停電が発生したとき、瞬時停電検知部に入力される電源装置７の出力電圧Ｖｏの低下を緩和する蓄電部９５と、を有し、演算部は、瞬時停電判断用信号Ｍ３を受け、電源装置７の出力電圧Ｖｏが閾値電圧Ｖｔｈを超えてから待機時間を経過する前に、瞬時停電判断用信号Ｍ３のレベルを確認し、瞬時停電判断用信号Ｍ３のレベルが切り替わり前の状態であれば、通常の電源投入と判断し、瞬時停電判断用信号Ｍ３のレベルが切り替わり後の状態であれば、瞬時停電が発生したと判断する。
【０１１９】
（瞬時停電発生と判断された際の処理）
次に、図８及び図９に基づき、本発明の実施形態に係る制御装置１での瞬時停電発生と判断された際の処理の一例を説明する。図８は、本発明の実施形態に係る制御装置１での瞬時停電発生と判断された際の処理の一例を示すフローチャートである。図９は、本発明の実施形態に係る制御装置１での瞬時停電発生と判断された際の表示画面の一例である。
【０１２０】
まず、図８のフローチャートは、図７に示したフローチャートで瞬時停電発生と判断された時点である。そして、メイン制御部６（メインＣＰＵ６０）は、タイマ部６６に指示して日時情報を取得する（ステップ♯１１）。例えば、日時情報は、「○○年△△月□□日◇◇時◎◎分」のように、年月日と時間で表される。
【０１２１】
そして、メイン制御部６は、ＲＯＭ６１やＨＤＤ６３等の不揮発性の記憶装置に、日時情報とともに瞬時停電が発生した旨の履歴を記憶させる（ステップ♯１２）。これにより、瞬時停電の発生を履歴として残すことができる。即ち、制御装置１は、データを記憶する記憶部（ＲＯＭ６１、ＨＤＤ６３等）を備え、記憶部は、瞬時停電発生と演算部（例えば、メインＣＰＵ６０）が判断したとき、瞬時停電が生じた旨を記憶する。更に、制御装置１は、日時を計時するタイマ部６６を備え、記憶部（ＲＯＭ６１、ＨＤＤ６３）は、瞬時停電発生と演算部（各ＣＰＵ等）が判断したとき、瞬時停電が生じた旨とともに発生日時を記憶する。
【０１２２】
次に、メイン制御部６は、瞬時停電を報知する設定であるかを確認する（ステップ♯１３）。もし、瞬時停電を報知する設定であれば（ステップ♯１３のＹｅｓ）、メイン制御部６は、操作パネル５の液晶表示部５１に報知画面１１０を表示させて、瞬時停電が発生した旨を報知させる（ステップ♯１４）。即ち、制御装置１は、使用者に報知を行う報知部（操作パネル５の液晶表示部５１）を備え、報知部は、瞬時停電発生と演算部（例えば、メインＣＰＵ６０）が判断したとき、瞬時停電が生じた旨を報知する。一方、瞬時停電を報知する設定でなければ（ステップ♯１３のＮｏ）、処理を終了する（エンド）。
【０１２３】
ここで、図９を用いて、報知画面１１０を説明する。図９に示すように、報知画面１１０では、使用者に対し、瞬時停電が発生したことや自動的な再起動がなされた等の各種メッセージが表示される。そして、報知画面１１０の下方には、閉じるキーＫ１が設けられ、操作パネル５は、閉じるキーＫ１が押下されたことを認識すると、報知画面１１０の表示を止める。
【０１２４】
又、図９に示すように、報知画面１１０には、チェックボックスＣＢが配される。このチェックボックスＣＢは、以後、瞬時停電が発生した旨の報知を行うか否かを選択するためのものである。瞬時停電の報知画面１１０の表示が煩わしければ、使用者は、チェックボックスＣＢを押下し、チェックを入れた状態で報知画面１１０を閉じればよい。これにより、ＨＤＤ６３やＲＯＭ６１等の不揮発性メモリに、瞬時停電による報知画面１１０を表示しない旨の設定データが記憶される。この設定データがあれば、メイン制御部６は、ステップ♯１３で、瞬時停電を報知しない設定であると判断する。
【０１２５】
そして、報知画面１１０の表示の後、チェックを入れた状態で報知画面１１０が閉じられたため、メイン制御部６は、以後、瞬時停電発生を報知しない設定とすべきかを確認する（ステップ♯１５）。もし、報知しない設定とすべきであれば（ステップ♯１５のＹｅｓ）、報知画面１１０を表示しない旨の設定データが記憶される（ステップ♯１６）。一方、以後、瞬時停電発生を報知するのであれば（ステップ♯１５のＮｏ）、処理を終了すればよい（エンド）。
【０１２６】
このようにして、予め定められた閾値電圧Ｖｔｈを超えるのは、通常の主電源ＯＮ（例えば、商用電源への１次電源としての電源装置７の接続）の場合と、瞬時停電後に電源装置７の出力電圧Ｖｏが回復した場合が考えられる。そこで、監視部（監視リセットＩＣ９）は、電源装置７の出力電圧Ｖｏが予め定められた閾値電圧Ｖｔｈ以下の状態から、閾値電圧Ｖｔｈを超えたとき、演算部（各ＣＰＵ等）及び２次電源部（ＤＣ−ＤＣコンバータ８）を起動させるための起動信号（信号Ｍ０）を出力する。これにより、瞬時停電発生時、自動的に制御装置１の再起動がなされる。従って、動作しない、反応しない状態が続かず、使用者に故障の誤認を与えることがない。
【０１２７】
又、通常の主電源ＯＮの場合（例えば、１次電源としての電源装置７と商用電源の接続）の起動シーケンスと、瞬時停電後に電源装置７の出力電圧Ｖｏが回復した場合の再起動シーケンスとを同じものとすることができる。言い換えると、瞬時停電発生時の機器のあらゆる状態（パターン）に対応できるシーケンスを組む必要や、複数種の瞬時停電発生時用の再起動シーケンスを用意する必要がない。従って、起動シーケンスを１つだけ考慮すればよく、システム設計が容易となる。又、システム開発費も抑えることができる。
【０１２８】
又、起動信号（信号Ｍ０）が発せられると２次電源部（ＤＣ−ＤＣコンバータ８）での動作用電圧の生成を許可する許可信号を出力する許可信号部（メインシーケンサ９３）と、起動信号Ｍ０が発せられると、許可信号部が許可信号（イネーブル信号Ｍ２）を出力した後に、演算部（各ＣＰＵ等）を起動させる１又は複数のリセット部（例えば、メインリセットＩＣ９２）が設けられる。これにより、２次電源部（ＤＣ−ＤＣコンバータ８）が生成する動作用電圧に基づいて演算部（各ＣＰＵ等）が動作する場合、２次電源部（ＤＣ−ＤＣコンバータ８）が駆動した後、演算部（各ＣＰＵ等）が起動する。従って、適切に演算部（各ＣＰＵ等）を起動させることができる。
【０１２９】
又、演算部（例えば、メインＣＰＵ６０）は、電源装置７の出力電圧Ｖｏが閾値電圧Ｖｔｈを超えてから演算部が起動した後に、瞬時停電判断用信号（信号Ｍ３）のレベルを確認し、瞬時停電判断用信号Ｍ３のレベルが変化後の状態であれば、瞬時停電が発生したと判断する。これにより、演算部は、瞬時停電が発生したか否かを判断し、認識することができる。又、記憶部（ＲＯＭ６１、ＨＤＤ６３）は、瞬時停電が生じた旨を記憶する。これにより、瞬時停電が発生したことが履歴として残される。従って、メンテナンスの際、履歴を参照することで、不具合動作の原因調査、究明に役立てることができる。例えば、不具合動作が多く機器に異常がある場合、瞬時停電が頻繁に生じていれば、管理者は、基板の故障や配電系統での異常に起因すると判断できる。
【０１３０】
又、記憶部（ＲＯＭ６１、ＨＤＤ６３）は、瞬時停電が生じた旨とともに発生日時を記憶する。これにより、瞬時停電が発生したことと発生日時が履歴として残される。従って、メンテナンスの際、履歴、日時を参照することで、不具合動作の原因の詳細な調査、究明を行うことができる。又、報知部（操作パネル５の液晶表示部５１）は、瞬時停電が生じた旨を報知する。これにより、使用者に瞬時停電の発生を報知することができる。例えば、１つコンセントに複数の機械を接続していれば（タコ足配線）、配電系統で瞬時停電（瞬間的な電圧ドロップ）が生じやすい。そこで、瞬時停電の発生を報知することで、使用者に対して設置環境（電力供給環境）の見直しの契機を与えることができる。
【０１３１】
又、蓄電部９５をローパスフィルタとする。これにより、蓄電部９５に要するコストを抑えることができる。又、監視部（監視リセットＩＣ９）は、電源装置７の出力電圧Ｖｏが閾値電圧Ｖｔｈ以下の状態から、閾値電圧Ｖｔｈを超えたとき、スイッチ部９１をＯＮさせる。これにより、監視部はスイッチ部９１をＯＮ／ＯＦＦするだけで、制御装置１での起動を制御することができる。又、スイッチ部９１はデジタルトランジスタでよく、スイッチ部９１に要するコストを抑えることができる。
【０１３２】
又、画像形成装置（例えば、複合機１００）は本発明の制御装置１を含むので、瞬時停電が生じても、自動的に再起動され、動作しない、反応しない状態が続かず、使用者に故障の誤認を与えない画像形成装置を提供することができる。又、画像形成装置のシステム設計が容易で、画像形成装置の開発費も抑えることができる。従って、画像形成装置の製造に要するコストを下げることができる。
【０１３３】
以下、別実施形態について説明する。上述の実施形態では、メイン制御部６にのみＤＣ−ＤＣコンバータ８が搭載される例を示したが、エンジン制御部４０やスキャナ制御部２０にＤＣ−ＤＣコンバータ８が搭載されてもよい。この場合、各ＣＰＵの前段にリセットＩＣが設けられ、ＤＣ−ＤＣコンバータ８の前段に、各ＤＣ−ＤＣコンバータ用のシーケンサが設けられる。
【０１３４】
又、本発明の実施形態を説明したが、本発明の範囲はこれに限定されるものではなく、発明の主旨を逸脱しない範囲で種々の変更を加えて実施することができる。
【産業上の利用可能性】
【０１３５】
本発明は、１次電源としての電源装置と、電源装置から電力の供給を受け、素子駆動用の電圧を生成する２次電源部を備える制御装置や、この制御装置を備えた画像形成装置に利用可能である。
【符号の説明】
【０１３６】
１      制御装置                      ２      画像読取部
２３    スキャナＣＰＵ（演算部）      ４Ｂ    画像形成部
４０１  エンジンＣＰＵ（演算部）      ５      操作パネル
５１    液晶表示部（報知部）          ６０    メインＣＰＵ（演算部）
６１    ＲＯＭ（記憶部）              ６３    ＨＤＤ（記憶部）
６６    タイマ部                      ７      電源装置
８      ＤＣ−ＤＣコンバータ（２次電源部）
９      監視リセットＩＣ（監視部）    ９１    スイッチ部
９２    メインリセットＩＣ（リセット部）
９３    メインシーケンサ（許可信号部）
９４    瞬停検知用ＩＣ（瞬時停電検知部）
９５    蓄電部                        ９６    エンジンリセットＩＣ（リセット部）
９７    リセット回路（リセット部）    １００  複合機（画像形成装置）
Ｖｏ    出力電圧                      Ｖｏ＿ＳＬ    出力電圧
Ｖｔｈ  閾値電圧                      Ｍ０    信号（起動信号）
Ｍ２    イネーブル信号（許可信号）    Ｍ３    信号（瞬時停電判断用信号）
【図１】
2011229209.tif 000003
【図２】
2011229209.tif 000004
【図３】
2011229209.tif 000005
【図４】
2011229209.tif 000006
【図５】
2011229209.tif 000007
【図６】
2011229209.tif 000008
【図７】
2011229209.tif 000009
【図８】
2011229209.tif 000010
【図９】
2011229209.tif 000011